(57)【要約】【課題】  測定面の勾配を測定することができる小型で簡素な構造を有する水準器を提供すること。【解決手段】  気泡１２が閉じ込められた湾曲管１１を基準台１に設け、その基準台を測定面に当てた際の気泡の位置により測定面の水平度を検出するようにした水準器Ｌにおいて、基準台１の一端部に基準となる固定支点ｍを形成し、基準台の他端側に、測定面にほぼ沿う方向に移動自在とされ、かつ、その移動方向と交差する方向に出没する可動支点ｎを設け、その固定支点ｍと可動支点ｎとを測定面ｙに夫々当接させた状態で気泡１２が水平位置となるように可動支点の位置を調節し、その可動支点ｍの位置を角度目盛り９により読み取ることによって測定面ｙの勾配を測定するように構成した。【選択図】  図１
2005156177.tif 000002
【特許請求の範囲】
【請求項１】
気泡が閉じ込められた湾曲管を基準台に設け、その基準台を測定面に当てた際の前記気泡の位置により測定面の水平度を検出するようにした水準器において、
前記基準台の一端部に基準となる固定支点を形成し、当該基準台の他端側に、測定面にほぼ沿う方向に移動自在とされ、かつ、その移動方向と交差する方向に出没する可動支点を設け、その固定支点と可動支点とを測定面に夫々当接させた状態で前記気泡が水平位置となるように可動支点の位置を調節し、その可動支点の移動位置により測定面の勾配を測定するように構成したことを特徴とする水準器。
【請求項２】
前記可動支点の移動可能な範囲に、勾配を表す角度目盛りが設けられていることを特徴とする請求項１に記載の水準器。
【発明の詳細な説明】
【技術分野】
【０００１】
本発明は、測定面の勾配を測定することができる水準器に関するものである。
【背景技術】
【０００２】
機械装置の組立作業や建築作業等において水平度を検出する一般的な方法として、気泡を封入したガラス管を基準台に設けた水準器が使用されている。この種の水準器は測定面が水平か否かを簡便に測定するのに適するが、測定面の勾配の程度を計測してそれを具体的な数値で表すことはできない。
【０００３】
測定面の勾配測定については、例えば、レーザレベル計により精密に行なうことができるが、これでは余りにも大掛かりな測定装置になってしまい、一般的な測定作業では、精密度のレベルの相違、作業コスト、取り扱いの難易度等の点から使用するのに不向きであると言えよう。
【０００４】
特開平９−１４５３６５号公報には、気泡を封入した湾曲管を備えた基準台の一端部に定脚を突設し、他端部に微調整可能な可動脚を出没可能に設け、それら定脚と可動脚とを測定面に当接させた状態で気泡が水平位置になるように可動脚の突出量を調節することにより、測定面の勾配を検出することが可能な水準器が開示されている。
【０００５】
上記公開特許公報に記載された「水準器」は、大掛かりな測定装置に比較して簡素な構造とされているが、さらに簡便で実用的な水準器の開発が要望されていた。
【特許文献１】特開平９−１４５３６５号公報
【発明の開示】
【発明が解決しようとする課題】
【０００６】
本発明の目的は、測定面の勾配を測定することができる小型で簡素な構造を有する水準器を提供することにある。
【課題を解決するための手段】
【０００７】
前記目的を達成するために請求項１に記載した発明は、気泡が閉じ込められた湾曲管を基準台に設け、その基準台を測定面に当てた際の前記気泡の位置により測定面の水平度を検出するようにした水準器において、
前記基準台の一端部に基準となる固定支点を形成し、当該基準台の他端側に、測定面にほぼ沿う方向に移動自在とされ、かつ、その移動方向と交差する方向に出没する可動支点を設け、その固定支点と可動支点とを測定面に夫々当接させた状態で前記気泡が水平位置となるように可動支点の位置を調節し、その可動支点の移動位置により測定面の勾配を測定するように構成したことを特徴とする。
【０００８】
同様の目的を達成するために請求項２に記載した発明は、請求項１に記載の水準器において、前記可動支点の移動可能な範囲に、勾配を表す角度目盛りが設けられていることを特徴とするものである。
【発明の効果】
【０００９】
この水準器は、測定面の勾配を簡易に測定することができるように小型で極めて簡素な構造とされていて、持ち運び易く、使い勝手に優れている。
【００１０】
また、この水準器は、可動支点の移動領域に勾配を表す角度目盛りを設けているので、測定した勾配の値を容易に認識し把握することができる利便性を有する。
【発明を実施するための最良の形態】
【００１１】
以下に、本発明の最良の形態例を図面に基づいて説明する。図１は水準器の正面図、図２は水準器の側面図である。
【００１２】
図１において、本発明の水準器Ｌの基準台１は、プラスチック製又は金属製でやや縦長の矩形板状に形成され、底面２を水平基準面とし、右側面３を垂直基準面として設けられている。この基準台１の一端部である左下角部は、基準としての固定支点ｍとされている。
【００１３】
１１は基準台１の中央下方に形成された四角形の穴５を貫通し、かつ、底面２と平行に形成された透孔６に装着された湾曲管である。この湾曲管１１は鉛直方向に僅かに湾曲するように形成されており、内部にアルコール等の液体と気泡１２とを閉じ込めた公知構造とされている。１３は基準台１が水平状態にあるときの気泡１２の位置を示すために湾曲管１１に付されたマークである。
【００１４】
基準台１の左側上方には、正面１ａから一定深さの切欠部７を形成し、その切欠部７の底部７ａに、ほぼ固定支点ｍに向かう方向に配置された段付きの長溝８を形成する。１５は短い円柱形で周面の一部を切り落とすと共に中心部に小径の孔１６が形成された可動片である。この可動片１５は、切り落とした面を切欠部７の側面７ｂに合わせた状態で、孔１６から長溝８に通したビス１８を当該長溝８の裏面からナット１９により適度に締め付けることにより取り付けられている。１７は可動片１５の正面に設けられた合マークである。この合マーク１７は、基準台１の正面１ａに設けられた勾配を表す角度目盛り９に対応するように配置されている。１０は基準台１の隅部に穿設された吊り下げ紐を取り付けるための透孔である。
【００１５】
しかして、この水準器Ｌは、可動片１５を底面２に近づく方向（下方）に摺動させることにより、その周面上の可動支点ｎが基準台１の左側面４から徐々に突出し、他方、可動片１５を底面２から離れる方向（上方）に摺動させることにより、その可動支点ｎが左側面４から徐々に没し、可動支点ｎの位置を角度目盛り９によって読み取ることにより測定面の勾配を測定することができるように構成されている。
【００１６】
なお、この実施の形態における可動支点ｎは、円柱形の可動片１５の周面の一部とされているところ、これに限定されることなく、例えば、平板部材の側部に設けた先鋭な突起部を可動支点とすることも可能である。
【００１７】
つぎに、かかる構成になる水準器Ｌの使用方法について述べる。
縦方向の測定面ｙについては、水準器Ｌの左側面４を当接させた状態にて湾曲管１０の気泡１１が水平位置となるように、可動片１５を摺動させて固定支点ｍに対する可動支点ｎの位置の調節を行なう。その調節後に、その可動片１５の合マーク１７に一致する角度目盛り９を読み取ることにより、測定面ｙの勾配を測定することができる。
【００１８】
なお、従来の水準器と同様に、横方向の水平度を検出する場合には、測定面に水準器Ｌの底面２を載せて気泡の位置を確認することにより、水平か否かを知ることができる。
【００１９】
ここで、本発明の水準器Ｌの使用例としてパチンコ機を設置する場合について説明する。
パチンコ機は、遊技者の打球発射操作により遊技領域に打ち込んだ遊技球を入賞装置に入賞させて数字や絵柄合わせ遊技を進行させつつ賞球を獲得する遊技を行うものであるが、遊技盤面を転動する遊技球の入賞口への入賞確率については、遊技盤面の傾斜角度に大きく影響される。このため、パチンコ機をパチンコホール内の遊技島に設置する場合には、遊技盤面が後方へ１度程度で傾斜するように、パチンコ機全体を傾斜保持させることが行なわれる。
【００２０】
そこで、パチンコ機の外枠の傾斜角度を測定する際に本発明の水準器Ｌを用いることができる。その使用方法については、前述したとおりであるので、説明を省略する。
【００２１】
以上に述べた通り、この水準器は、測定面の勾配を簡易に測定することができるように小型で極めて簡素な構造とされていて、使い勝手が良好である。
【図面の簡単な説明】
【００２２】
【図１】水準器の正面図
【図２】水準器の側面図
【符号の説明】
【００２３】
Ｌ・・・水準器
１・・・基準台
ｍ・・・固定支点
ｎ・・・可動支点
９・・・角度目盛り
１１・・・湾曲管  １２・・・気泡
１５・・・可動片
１７・・・合マーク
ｙ・・・測定面
【図１】
2005156177.tif 000003
【図２】
2005156177.tif 000004